(57)【要約】  検知された特性、例えば周囲音に応答して流体を分配するためのシステムは、１以上の特性を検出するためのセンサ（２）と、１以上の検知された特性が所定の範囲内にあるか、及び／又は所定のレベル以上及び／又は以下であるかを決定するための処理段と、この処理段によって、１以上の検知された特性が所定の範囲内にあるか、及び／又は所定のレベル及び／又は値以上及び／又は以下であると決定された場合に、このシステムを囲む領域へ流体を分配するためのディスペンサー（６）とを備える。
2008521422.tif 000002
【特許請求の範囲】
【請求項１】
検知された特性に応答して流体を分配するためのシステムであって、
１以上の特性を検出するためのセンサと、
１以上の検知された特性が所定の範囲内にあるか、及び／又は所定のレベル以上及び／又は以下であるかを決定するための処理段と、
この処理段によって、１以上の検知された特性が所定の範囲内にあるか、及び／又は所定のレベル及び／又は値以上及び／又は以下であると決定された場合に、このシステムを囲む領域へ流体を分配するためのディスペンサーと
を備えることを特徴とするシステム。
【請求項２】
検知された周囲音に応答して流体を分配するためのシステムであって、
１以上の周囲音を検出するためのセンサと、
１以上の検知された周囲音が所定の範囲内にあるか、及び／又は所定のレベル以上及び／又は以下であるかを決定するための処理段と、
この処理段によって、１以上の検知された周囲音が所定の範囲内にあるか、及び／又は所定のレベル及び／又は周波数以上及び／又は以下であると決定された場合に、流体を分配するためのディスペンサーと
を備えることを特徴とするシステム。
【請求項３】
センサは、１以上の周囲音を検出するように配置されている請求項１に記載のシステム。
【請求項４】
センサは、マイクロホンを備える、先行する請求項のいずれかに記載のシステム。
【請求項５】
処理段は、１以上の決定された音の１又は複数の周波数、及び／又は１以上の音の振幅（デシベル）レベル（１又は複数）を決定するように配置されている請求項２〜４のいずれかに記載のシステム。
【請求項６】
処理段は、１以上の音の源を決定するように配置されている請求項２〜５のいずれかに記載のシステム。
【請求項７】
１以上の音の源は、蚊のような昆虫である請求項６に記載のシステム。
【請求項８】
センサは、ユーザの１以上の生物測定学的特性を検出するように配置されている請求項１に記載のシステム。
【請求項９】
１以上の生物測定学的特性は、心拍数、血圧、呼吸リズム、血糖レベル、体臭及び循環の１以上を備える請求項８に記載のシステム。
【請求項１０】
処理段は、１以上のフィルタを備える、先行する請求項のいずれかに記載のシステム。
【請求項１１】
１以上のフィルタは、１以上の帯域通過フィルタを備える請求項１０に記載のシステム。
【請求項１２】
処理段は、センサと１以上のフィルタとの間に接続可能な増幅器を更に備える請求項１０又は１１に記載のシステム。
【請求項１３】
処理段は、マイクロプロセッサを更に備える、先行する請求項のいずれかに記載のシステム。
【請求項１４】
処理段は、１以上のデジタル信号処理部品を備える請求項１〜９のいずれかに記載のシステム。
【請求項１５】
処理段は、マイクロプロセッサを更に備える請求項１４に記載のシステム。
【請求項１６】
ディスペンサーに分配される流体を供給するための、ディスペンサーに接続可能な流体貯蔵器を更に備える請求項１５に記載のシステム。
【請求項１７】
センサは、出力を有し、処理段は、出力を有する増幅器と、この増幅器の出力に接続可能なアナログ／デジタル変換器とを更に備え、前記増幅器は、センサの出力に接続可能である請求項１６に記載のシステム。
【請求項１８】
システムは、ディスペンサーの動作を制御するためのディスペンサー制御段を更に備える請求項１７に記載のシステム。
【請求項１９】
アナログ／デジタル変換器は、出力信号を有し、この出力信号は、ワイヤレスリンクを使用して、プロセッサに印加可能であり、プロセッサは、出力信号を有し、プロセッサからの出力信号は、ディスペンサー制御段を駆動し、プロセッサからの出力信号は、ワイヤレスリンクを使用して、ディスペンサー制御段に印加可能である請求項１８に記載のシステム。
【請求項２０】
プロセッサは、１以上の検知された特性が所定の範囲内にあるか、及び／又は所定のレベル及び／又は値以上及び／又は以下であるかを決定するためのオーディオ分析ソフトウエアを有する請求項１９に記載のシステム。
【請求項２１】
処理段は、出力を有する差動増幅器と、入力及び出力を有するシュミットトリガーと、入力を有するＡＮＤゲートとを更に備え、差動増幅器の出力は、シュミットトリガーの入力に印加され、シュミットトリガーの出力は、ＡＮＤゲートの入力に印加されて、１以上の検知された特性が所定の範囲内にあるか、及び／又は所定のレベル以上及び／又は以下であるかを決定する請求項１０〜１２のいずれかに記載のシステム。
【請求項２２】
ディスペンサーに分配される流体を供給するための、ディスペンサーに接続可能な流体貯蔵器を更に備える請求項１〜１３のいずれかに記載のシステム。
【請求項２３】
処理段は、ディスペンサーとは別のユニット内に搭載可能である、先行する請求項のいずれかに記載のシステム。
【請求項２４】
１以上のセンサと、処理段と、ディスペンサーは、ユーザによって着用される宝石内／上に搭載可能である、先行する請求項のいずれかに記載のシステム。
【請求項２５】
１以上のセンサと、処理段と、ディスペンサーは、ユーザによって着用されるアクセサリに取付可能である請求項１〜２３のいずれかに記載のシステム。
【請求項２６】
１以上のセンサと、処理段と、ディスペンサーは、織物に織り込まれるように配置される請求項１〜２３のいずれかに記載のシステム。
【請求項２７】
分配される流体は、防虫剤を含む、先行する請求項のいずれかに記載のシステム。
【請求項２８】
分配される流体は、香料を含む請求項１〜１６のいずれかに記載のシステム。
【請求項２９】
分配される流体は、ストレス低減特性を持つ香料を含む請求項２８に記載のシステム。
【請求項３０】
ディスペンサーは、圧電素子を備える、先行する請求項のいずれかに記載のシステム。
【請求項３１】
ディスペンサーは、熱作動型装置を備える請求項１〜２９のいずれかに記載のシステム。
【請求項３２】
熱作動型装置は、流体貯蔵器と分配ノズルとの間に接続された毛管内に配置可能なワイヤを備え、微細ワイヤは、電流の１以上のパルスを受信するように配置されて、ワイヤを囲んだ毛管内の流体を気化させ、流体の１以上の小滴が形成されて、前記分配ノズルから排出されるようにする請求項３１に記載のシステム。
【請求項３３】
検知された特性に応答して流体を分配するための方法であって、
１以上の特性を、センサを使用して検出する工程と、
１以上の検出された特性が所定の範囲内にあるか、及び／又は所定のレベル以上及び／又は以下であるかを、処理段で決定する工程と、
前記処理段によって、１以上の検出された特性が所定の範囲内にあるか、及び／又は所定のレベル及び／又は値以上及び／又は以下であると決定された場合に、ディスペンサーを使用して、このシステムを囲む領域へ流体を分配する工程と
を備えることを特徴とする方法。
【請求項３４】
添付した図面に描かれたいずれかの実施形態を参照して実質的に説明されたようなものであることを特徴とする方法。
【請求項３５】
添付した図面に描かれたいずれかの実施形態を参照して実質的に説明されたようなものであることを特徴とする方法。
【発明の詳細な説明】
【技術分野】
【０００１】
本発明は、個別又は種々の音の検知された特性、例えば生物測定学的特性に応答して流体を分配するためのシステム及び方法に関する。
【背景技術】
【０００２】
多くの昆虫、例えば蚊は、刺すことによって人々に害を与えるだけでなく、世界の所定地域で個人に移される感染症の脅威を与える。昆虫によって伝染される疾病の脅威と戦う種々の方法が存在する。これらの方法は、大規模な集団制御、例えば航空機を使用して広い面積に農薬を噴霧すること、及び個人の皮膚に塗布される局所的防虫剤の使用を含む。しかしながら、昆虫が刺すことに対する個人的保護の場合、合理的な長期間にわたって効果的であるために、一般に多量の防虫剤が個人の皮膚に直接塗布される必要がある。このことは、不快な臭気と可能なアレルギー性皮膚反応の双方から問題を提起し、使用されることがある可能な化学物質の範囲と、従って防虫剤の有効性とを制限することがある。
【０００３】
ある種の香料、例えばシトロネラは、昆虫、例えば蚊に対する防虫剤として作用することが知られている。また、種々の装置、例えばシトロネラキャンドルは、一般に屋外環境で防虫を試みるために使用されている。しかしながら、他の目的用には、防虫剤と同様に、例えばアロマセラピーオイル又はキャンドルの形態の香料を使用して、例えばある個人のストレスレベルを低減することが一般的である。そして、典型的な香料は、セントジョン・ワート・レスキュー・レメディ（登録商標）や、アロマセラピー性の香料、例えばラベンダー、カモミール、又はセージを含む。
【０００４】
ストレスは、健康及び安全リスクと同様に、任意の数のファクタ、例えば個人が約８０デシベルを超える一定の雑音に曝されたままである場合は、ストレス誘発ファクタとして識別されている高デシベルレベルの音によって引き起こされる。健康及び安全規制は、そのようなリスクに曝される労働者が保護装置を着用することを促進するが、通行人にストレスを引き起こす雑音の問題に取り組むことはあまり行われていない。また、そのような環境では、通行人は、一般に即時アクセスを有しないか、既知のストレス低減装置、例えばアロマセラピーオイル又はキャンドルを使用することは可能でない。
【０００５】
かくして、従来のプロセス及び装置に関する前述の問題を考慮して、ユーザのニーズを評価し、そしてそれらのニーズに対して適切な流体又は香料の分配を伴って、種々の状況で、適切に応答するように準備されて使用され得る方法及び装置に対する必要性が存在する。これは、例えば、防虫剤として作用するか、又は個人のストレスレベルを低減するか、又はユーザの特別な健康ファクターに取り組むもので、好ましい実施形態では可搬型である。
【発明の要約】
【０００６】
一般項において、本発明は、第１の形態で、検知された特性に応答して流体を分配するためのシステムを提案する。このシステムは、１以上の特性を検出するためのセンサと、１以上の検知された特性が所定の範囲内にあるか、及び／又は所定のレベル以上及び／又は以下であるかを決定するための処理段と、この処理段によって、１以上の検知された特性が所定の範囲内にあるか、及び／又は所定のレベル及び／又は値以上及び／又は以下であると決定された場合に、このシステムを囲む領域へ流体を分配するためのディスペンサーとを備える。
【０００７】
第２の形態によると、検知された周囲音に応答して流体を分配するためのシステムが提供される。このシステムは、１以上の周囲音を検出するためのセンサと、１以上の検知された周囲音が所定の範囲内にあるか、及び／又は所定のレベル以上及び／又は以下であるかを決定するための処理段と、この処理段によって、１以上の検知された周囲音が所定の範囲内にあるか、及び／又は所定のレベル及び／又は周波数以上及び／又は以下であると決定された場合に、流体を分配するためのディスペンサーとを備える。
【０００８】
かくして、好ましい実施形態では、センサは、１以上の周囲音を検出するように配置されている。
【０００９】
センサは、マイクロホンを備えることが好ましい。
【００１０】
好ましい実施形態では、処理段は、１以上の決定された音の１又は複数の周波数、及び／又は１以上の音の振幅（デシベル）レベル（１又は複数）を決定するように配置されている。
【００１１】
処理段は、１以上の音の源を決定するように配置されていることが好ましい。
【００１２】
１以上の音の源は、昆虫、例えば蚊であることが好ましい。
【００１３】
センサは、ユーザの１以上の生物測定学的特性を検出するように配置されていることが好ましい。
【００１４】
好ましい実施形態では、１以上の生物測定学的特性は、心拍数、血圧、呼吸リズム、血糖レベル、体臭及び循環の１以上である。
【００１５】
処理段は、１以上のフィルタを備えることが好ましい。好ましい実施形態では、１以上のフィルタは、１以上の帯域通過フィルタである。
【００１６】
処理段は、センサと１以上のフィルタとの間に接続可能な増幅器を更に備えることが好ましい。
【００１７】
処理段は、マイクロプロセッサを更に備えることが好ましい。
【００１８】
処理段は、１以上のデジタル信号処理部品を備えることが好ましい。
【００１９】
このシステムは、ディスペンサーに分配される流体を供給するための、ディスペンサーに接続可能な流体貯蔵器を更に備えることが好ましい。
【００２０】
好ましい実施形態では、センサは、出力を有し、処理段は、出力を有する増幅器と、この増幅器の出力に接続可能なアナログ／デジタル変換器とを更に備え、前記増幅器は、センサの出力に接続可能である。
【００２１】
システムは、ディスペンサーの動作を制御するためのディスペンサー制御段を更に備えることが好ましい。
【００２２】
アナログ／デジタル変換器は、出力信号を有し、この出力信号は、ワイヤレスリンクを使用して、プロセッサに印加可能であり、プロセッサは、出力信号を有し、プロセッサからの出力信号は、ディスペンサー制御段を駆動し、プロセッサからの出力信号は、ワイヤレスリンクを使用して、ディスペンサー制御段に印加可能であることが好ましい。
【００２３】
プロセッサは、１以上の検知された特性が所定の範囲内にあるか、及び／又は所定のレベル以上及び／又は以下であるかを決定するためのオーディオ分析ソフトウエアを有することが好ましい。
【００２４】
処理段は、出力を有する差動増幅器と、入力及び出力を有するシュミットトリガーと、入力を有するＡＮＤゲートとを更に備え、差動増幅器の出力は、シュミットトリガーの入力に印加され、シュミットトリガーの出力は、ＡＮＤゲートの入力に印加されて、１以上の検知された特性が所定の範囲内にあるか、及び／又は所定のレベル以上及び／又は以下であるかを決定することが好ましい。
【００２５】
処理段は、ディスペンサーとは別のユニット内に搭載可能であることが好ましい。
【００２６】
１以上のセンサと、処理段と、ディスペンサーは、ユーザによって着用される宝石内／上に搭載可能であることが好ましい。
【００２７】
１以上のセンサと、処理段と、ディスペンサーは、ユーザによって着用されるアクセサリに取付可能であることが好ましい。
【００２８】
１以上のセンサと、処理段と、ディスペンサーは、織物に織り込まれるように配置されることが好ましい。
【００２９】
分配される流体は、防虫剤を含むことが好ましい。
【００３０】
分配される流体は、香料を含むことが好ましい。
【００３１】
分配される流体は、ストレス低減特性を持つ香料を含むことが好ましい。
【００３２】
ディスペンサーは、圧電素子を備えることが好ましい。
【００３３】
ディスペンサーは、熱作動型装置を備えることが好ましい。
【００３４】
熱作動型装置は、流体貯蔵器と分配ノズルとの間に接続された毛管内に配置可能なワイヤを備え、微細ワイヤは、電流の１以上のパルスを受信するように配置されて、ワイヤを囲んだ毛管内の流体を気化させ、流体の１以上の小滴が形成されて、前記分配ノズルから排出されるようにすることが好ましい。
【００３５】
本発明の第３の形態によると、検知された特性に応答して流体を分配するための方法が提供される。この方法は、
１以上の特性を、センサを使用して検出する工程と、
１以上の検出された特性が所定の範囲内にあるか、及び／又は所定のレベル以上及び／又は以下であるかを、処理段で決定する工程と、
前記処理段によって、１以上の検出された特性が所定の範囲内にあるか、及び／又は所定のレベル及び／又は値以上及び／又は以下であると決定された場合に、ディスペンサーを使用して、このシステムを囲む領域へ流体を分配する工程とを備える。
【００３６】
本発明の１以上の好ましい実施形態は、特に有利である。何故ならば、それらは、個人着用可能な装置に組み込まれ得る、例えば宝石の部分に又は衣類の織物に一体化され得るからである。着用者のストレスレベルは、選ばれた香料の拡散によって低減され得る。
【００３７】
本発明の１以上の好ましい実施形態はまた、感覚的快感誘発能力に、そしてオーディオ感覚的経験の他の領域に使用され得る。
【００３８】
更には、本発明の１以上の好ましい実施形態は、防虫剤を分配するために宝石の部分に又は衣類の織物に一体化されて、個人によって着用可能な装置の１又は複数を使用して、蚊や他の昆虫からの効率的保護を可能にする。この装置は、人の身体に関する蚊に対して無防備な箇所に位置決めされ得る。そのような箇所は、首領域、腕及び踝であり、その場所では、皮膚が露出され、そして人の衣服に蚊が進入する入口点が存在する。
【００３９】
好ましくは、この発明を具体化したシステムを防虫剤ディスペンサーとして使用する場合、化学薬品の放出は、蚊が射程内にあるときにのみ起こって、蚊に向かって指向されるように準備され、かくしてユーザの皮膚の露出を最小化する。
【００４０】
この発明の好ましい特徴は、図解だけの目的のために、以下の図面を参照して説明される。
［好ましい実施形態の詳細な説明］
【００４１】
図１は、この発明の好ましい実施形態に係る一般的システムの模式的ブロック図である。このシステムは、ディスペンサーシステム６を駆動するテレメータシステム４に結合された検知システム２を備える。ディスペンサーシステム６は、流体、例えば香料を、好ましくはスプレーの形態で、ディスペンサーシステム６のハウジング内に組み込まれる貯蔵器８から分配することが好ましい。動作時に、検知システム２は、特性、例えば音を検出し（この場合の検出は、周波数及び／又はデシベルレベルに基づく）、そして検出された特性が所定の限界内にあるか、及び／又は所定のレベル以上及び／又は以下である場合、所望であれば、テレメータシステム４を作動して、ディスペンサーシステム６からの香料の分配を制御する。テレメータシステム４はオプションであり、省略される場合は、ディスペンサーシステム６は、検知システム２によって直接駆動され得る。
【００４２】
図２は、この発明の好ましい実施形態に係るシステムの図１に示されたものよりも詳細な模式的表現である。図２のシステムは、到来する音を検出するためのマイクロホン１０と、このマイクロホン１０から出力されるオーディオ信号を増幅するための前置増幅器１２とを備える。前置増幅器１２は、前置増幅器１２からの信号を処理するオーディオ分析段１４に結合されている。オーディオ分析段１４の出力は、微流体ディスペンサー制御段１６に結合されている。微流体ディスペンサー制御段１６からの出力は、微流体ディスペンサー１８を駆動して、スプレーの形態の流体を貯蔵器２０から分配する。
【００４３】
図３は、この発明の好ましい実施形態に係るシステム、例えば防虫剤の分配に適用された図１及び２に示されたシステム用のアナログ処理回路構成の模式的ブロック図である。マイクロホン２２は、昆虫、例えば蚊から発せられた音を検出する。このマイクロホンの出力は、前置増幅器２４で増幅される。多数のフィルタ段２６ａ〜２６ｎが前置増幅器２４の出力と並列に接続されている。各フィルタ段２６ａ〜２６ｎは、昆虫によって発生される音のスペクトルに見られる異なる周波数帯に同調されている。
【００４４】
図３のシステムでは、各フィルタ段２６ａ〜２６ｎは、２つの帯域通過フィルタ２８及び３０を備える。一方の帯域通過フィルタ３０は、基本周波数に同調され、そして他方は、僅かに高い周波数に同調されている。各フィルタ段２６用の帯域通過フィルタ２８及び３０の出力は、差動増幅器３２の２入力に結合されている。これは、帯域通過フィルタ２８及び３０の出力間の差を得るためである。各差動増幅器の出力は、関連するシュミットトリガ回路３４に印加され、適切な周波数が検出されたときに、出力を与える。フィルタ段２６ａ〜２６ｎの各々に対するシュミットトリガ回路３４の出力は、ＡＮＤゲート３６の入力に印加されている。ＡＮＤゲート３６の出力は、ディスペンサー制御段３８に印加されている。この制御段は、微流体ディスペンサー４０を制御して、スプレーの形態の流体、例えば防虫剤を貯蔵器４０から分配する。
【００４５】
図３に描かれた好ましい実施形態では、システムは、例えば個人にストレスを与える過剰な周囲雑音レベルを検出することに、またこれらの環境では、セントジョン・ワート・レメディ（登録商標）や、他のアロマセラピー性の香料、例えばある人達のストレスレベルを低減することが知られているラベンダー、カモミール、又はセージを放つことに使用され得る。この実施形態では、周囲雑音レベルは、マイクロホン２２によって検出され、前置増幅器２４によって増幅され、それから人間の聴力にマッチするように設計されているアナログ帯域通過フィルタ段２６でフィルタ除去される。それから信号のフィルタ除去レベル（デシベルで表された振幅）が測定される。測定されたレベルが、所定量を超えるか未満である場合、あるいは所定の範囲内にある場合、所望であれば、微流体ディスペンサー制御段３８は作動される。そして、微流体ディスペンサー制御段３８は次に、微流体ディスペンサー４０を作動して、スプレーの形態の流体を分配する。微流体ディスペンサー４０は、例えば圧電素子又は熱作動型装置である。好適なディスペンサーの性質は、以下で更に詳細に論じられる。
【００４６】
図３に関連して上述されたアナログ技術は、いくつかの単純な回路要素、例えば帯域通過フィルタ２６を使用し、これらもまた、昆虫、例えば蚊に関連した特性周波数を検出することに使用される。そのような実施形態では、分配される流体は、防虫剤であり得る。いくつかのそのようなフィルタ２６は、蚊に関連したいくつかの周波数帯域を、背景雑音と同様に、モニタすることによって、検出効率を改良するために組合せられることがある。
【００４７】
図４は、この発明の例えば防虫剤の分配に適用された別の好ましい実施形態に係るデジタルシステムの模式的ブロック図である。このデジタルシステムは、到来する音を検出するためのマイクロホン４４と、このマイクロホン４４の出力に結合されてマイクロホン４４からの出力信号を増幅する前置増幅器４６とを備える。前置増幅器４６の出力は、アナログ／デジタル変換器４８に結合されている。アナログ／デジタル変換器４８からのデジタル出力は、第１のトランシーバ５０に結合され、このトランシーバは、デジタル信号を、ワイヤレスデータリンク５２を介して別のトランシーバ５４に伝送する。別のトランシーバ５４は、マイクロプロセッサ５６に接続され、このマイクロプロセッサは、例えばオーディオ分析ソフトウエアを含んだ着用可能なコンピュータの形態であり得る。マイクロプロセッサ５６からの分析出力は、別のトランシーバ５４及びワイヤレスデータリンク５２を介して第１のトランシーバ５０に返送される。第１のトランシーバ５０は、ディスペンサー制御段５８に結合可能である。この制御段は、微流体ディスペンサー６０を制御して、流体、例えば防虫剤を貯蔵器６２からスプレーの形態で分配する。
【００４８】
図４に描かれた実施形態では、マイクロホン４４によって捕捉された音は、前置増幅器４６によって増幅される。増幅された信号は、それからアナログ／デジタル変換器４８でデジタル化され、そのデジタル信号は、直接、又は無線（ＲＦ）や他のワイヤレスリンクを通して、マイクロプロセッサ５６へ送られて、処理される。ここでは、処理された信号レベルが、所定レベルを超えているか未満であるか、あるいは所定の範囲内にあるかが、所望であれば、決定される。その通りである場合、信号は、直接、又はワイヤレスリンクを介して、微流体ディスペンサー制御段５８へ送られ、そして微流体ディスペンサー６０は、流体のスプレーを分配するように動作される。この好ましい実施形態は、図３に示されたアナログ実施形態よりも精錬された信号の処理を可能にする。そして、必要であれば、プロセッサ５６は、ディスペンサー６０とは別のユニットに収容され得る。これは、ユーザ用に、又はユーザ上に、より快適な設置を可能とするためである。
【００４９】
図４の装置は、昆虫、特に飛翔昆虫、例えば蚊を抑止することに使用され得る。そのような実施形態では、マイクロホン４４は、羽根を振動させている昆虫によって起こされた音を検出する。そして、信号は、多数の帯域通過フィルタ２６でフィルタ除去され、特別な昆虫に対応した信号内の特性周波数ノードを決定サーチする。この手段によって昆虫が識別された場合、微流体ディスペンサー制御段５８は作動されて、微流体ディスペンサー６０からの流体の分配を作動し、抑止流体を排出して、昆虫を追い払う。この実施形態では、微流体ディスペンサー６０は、装置のユーザの無防備な点、例えば露出されて昆虫に対して無防備になる腕又は首に配置され得る。
【００５０】
上述したデジタル技術は、図３に示された実施形態に関連して上述されたアナログ技術よりも複雑な改良された検出精度の信号処理を使用する。マイクロホン４４によってピックアップされた音は、デジタル信号に変換され、ワイヤレスリンクを介して小型の着用可能コンピュータ５６に伝送され得る。この信号は、それから周波数分析される。そして、ソフトウエアプログラムは、蚊が存在するか否かを、あるいはより一般的な場合には、装置着用者の周囲の雑音が、心理学的不快の源として識別可能であるか否かを決定する（このプログラミングは、以下で更に詳細に説明されるスケールを含むことがある）。正の信号が検出された場合、着用可能コンピュータ５６は、微流体ディスペンサー６０に信号を伝送し、このディスペンサーは一定量の流体、例えば防虫剤、殺虫剤、又は鎮静香料を放出する。コンピュータソフトウエアは、香料の放出のタイミングをとって、より長い露出が、単一ではなく、一連の香料放出をトリガするようにする。
【００５１】
１９９６年アメリカ音響学会の１３２回会合から、キャンプベル・リチャードＨの論文による発表で、蚊の羽根ビートの周波数スペクトルは高度に特徴的であって、スペクトル内の所定箇所に起こる周波数ピークを含み、この情報を使用して蚊の特異な識別を可能にする、という点が知られている。蚊の性を、例えば規則的に離隔された高調波間の差を見ることによって、決定することも可能である。１９９４年のアメリカ蚊抑制協会のジャーナル１０（２）で出版されたマンキンＲＷによる論文によれば、この差は、メスについてはオスのそれと比べて有意に小さい。図５ａは、メスのアナフェレス・ステベンシ蚊の分析における振幅対周波数を示すグラフであり、また図５ｂは、典型的な塩湿地背景雑音に対する個別のオス及びメスの塩湿地蚊の分析における振幅対周波数を示すグラフである。蚊の種の決定はまた、より進歩した保護を可能にする。例えば、特別な疾病を運ぶことが知られている１つの種は、可聴警告を作動して、増加した脅威のユーザに警告することができる
【００５２】
上述した実施形態のデジタル処理の利点は、微流体ディスペンサー６０の動作の持続期間が環境に従って制御され得る点である。
【００５３】
図６は、この発明の織物に織り込まれた好ましい実施形態に係るディスペンサー装置の模式的表現である。このディスペンサー装置は、流体貯蔵器６４と、この貯蔵器６４に接続された毛管６６とを備える。毛管６６と、好ましい実施形態では、ディスペンサー装置全体は、例えば織物状に織られたり縫い込まれるか、そうでなければ、織物６８、例えば上着又はユーザ、又はベッドのリネンに織り込まれる。ディスペンサー制御段７０は、熱作動型ディスペンサー７２を動作させる。熱作動型ディスペンサー７２は、毛管６６の一方の端部に接続され、毛管６６の他方の端部は、流体貯蔵器６４に接続されている。ディスペンサー制御段７０は、毛管６６の短い長さを通して配置された微細ワイヤ７４に接続されている。使用時に、毛管６６は、分配される流体７６によって充填され得る。
【００５４】
ディスペンサー装置から流体を排出するために、動作時に、ディスペンサー制御段７０は、処理制御回路構成によって指示されたときに、微細ワイヤ７４に電流パルスを通して、迅速に加熱すると共に、毛管６６内のワイヤを囲む流体７６の気化を起こして、毛管６６内にバブル７８を形成する。バブル７８の拡張によって発生される圧力は、ワイヤ７４と毛管６６の端部との間に残る流体を押し出して、流体の小滴を形成する。この小滴は、毛管６６の端部からディスペンサー７２中に押し出され、小滴は、そこからディスペンサー装置を囲む大気中へ排出される。毛管の長さに起因する高い背圧は、貯蔵器６４へ向かう有意な流れを阻止する。電流のパルスが加えられた後に、微細ワイヤ７４は冷却し、そして毛管作用は流体を貯蔵器６４からより多く毛管６６内へ引き込む。このプロセスは、微細ワイヤ７４を通る電流を適切な周波数でパルス化することによって繰り返され、毛管６６から排出される小滴は、それからディスペンサー７２から排出されて、スプレーを形成する。貯蔵器６４は、貯蔵器６４からの流れを制約する真空の増大を防止する。このことは、流体がそこから引き抜かれるに従って、体積を減少させることが可能な弾性貯蔵器を使用することによって達成可能である。
【００５５】
上述したように、毛管６６及びワイヤ加熱要素７４の使用は、ディスペンサー装置が織物に織られるか、そうでなければ衣類の、例えば、織物に織り込まれることを可能にする。そのような実施形態では、流体が分配される点と、流体貯蔵器６４は、衣類の表面上の任意の点に配置されて、より大きな設計の自由度を可能にする。
【００５６】
図７は、この発明の好ましい実施形態に係る１つの装置、例えば図１，２，３，４又は６に示されたもののいずれかの模式的表現であり、この場合、その装置は単一ユニット内に収容されている。ハウジング８０は、処理回路構成と、微流体貯蔵器（図示せず）とを収容している。ハウジング８０の外面上に搭載されているのは、マイクロホン８２と、微流体ディスペンサーノズル８４とであり、このノズルを通して、微流体貯蔵器に貯蔵されている流体が分配される。
【００５７】
図８は、一対の装置、例えば図７に示された装置の模式的表現である。この実施形態では、一方の装置８６は、アナログ装置、例えば図３に示されたものであり、他方の装置８８は、デジタル装置、例えば図４に示されたものである。アナログ装置は、ユーザ９２の首の回りに着用されたネックレス９０に実装された状態で示され、またデジタル装置８８は、処理電子回路９６をディスペンサーユニット８８から分離するワイヤレスリンク９４と共に示されている。処理電子回路９６は、例えばユーザによって着用されるベルト上に実装される着用可能なコンピュータの形態で収容され得る。また、ディスペンサーユニット８８は、ユーザ９８の衣類に固定されるブローチ又はクリップとして実装された状態で示されている。
【００５８】
使用時に、アナログ装置８６は、正常な音を検出することに好適であり、そして単一の小型ユニット内に組み込まれ得る。これに対し、デジタル装置８８は、防虫剤としての使用に最適である。デジタル装置８８は、より多くの回路構成を信号処理で必要とするので、２つの別々のユニットとして形成され、例えばワイヤレスリンクによってリンクされることが好ましい。このようにすることで、処理ユニット９６は、図８に示すように、装置８８のユーザによって控えめに着用され得る。アナログ装置８６は、例えばネックレス９０として着用され得るもので、音によって作動された時に、必要に応じて、香料のスプレーを発する。デジタル装置８８は、好ましくは２つの部品であるものとして示されている。また、処理ユニット９６は、ベルト上又はポケット内に着用され得る。そして、ディスペンサーユニットは、ユーザの外上着に取り付けられたブローチ又はクリップとして着用され得る。蚊や他の昆虫から信号が受信されると、ディスペンサーユニット８８は、信号をコンピュータ９６に送り、そこでこの信号は処理される。そして、コンピュータによって受け入れられた場合、その信号は、ディスペンサーユニット８８に返送されて、このユニットが防虫剤を必要に応じて分配するようにする。
【００５９】
図９は、上着の袖１００に織り込まれたこの発明に係る装置の別の好ましい実施形態の模式的表現である。この実施形態では、マイクロホン及びワイヤレストランシーバ装置１０２は、袖の袖口上に実装され、そして貯蔵器との毛管接続及びディスペンサー制御段との電気的接続は、袖１００の裏張り内に隠される。小滴スプレーディスペンサーはまた、袖１００の袖口内に構築される。
【００６０】
上述した実施形態では、必要とされる電子回路の小さなサイズは、ユーザの衣類への容易な一体化、並びにこのシステムを組み込んだ複数の装置の可能性を可能にして、例えばディスペンサーを防虫剤分配システムとして使用する場合に、より完全な保護をユーザに与える。この代わりに、この発明を具現化した装置の１以上は、宝石の別個の部品として着用されるか、それに一体化される。
【００６１】
表面実装技術（ＳＭＴ）は、装置のサイズを小さく保つことに使用され得る。そして、電子回路構成は、ＰＣＢ基板上に形成され得る。
【００６２】
この発明を具現化した装置、例えば図４に描かれた装置のトランシーバ５０及び５４は、使用前に初期化され、プログラムされ得る。このことは、マイクロプロセッサによって達成される。このマイクロプロセッサは、インターフェース回路に接続された標準パラレルポートケーブルを介して装置にリンクされている。専用ソフトウエアは、装置の種々のパラメータを初期化し、セットアップすることに使用され得る。その後、装置は、インターフェース回路から切断され、電源がオフされるまで、自由に動作することができる。もう１つの実施形態では、そのような初期化は、装置内に一体化されるか別ユニット内に配置されたマイクロプロセッサチップによって行われる。
【００６３】
上述した実施形態の１以上で流体を分配するために、微流体装置が使用されて、流体の細かな小滴の雲が生成する。防虫剤又は殺虫剤を接近する蚊に向けて分配する場合、微流体装置は、蚊が検出された領域内に化学薬品の細かな小滴の雲を生成することに使用される。そのような雲を生成するに好適な装置の２つの例は、圧電素子と熱作動型装置（‘バブルジェット’）であり、これらの双方は通常インクジェット印刷用に使用されている。
【００６４】
圧電素子、例えばＰＺＴ（チタンジルコン酸鉛）系圧電素子は通常、種々の応用に対して液体の小滴を放出するために使用される。そのような装置は、そこを通して液体が流れる微流体チャネルと、このチャネル構造に密着して位置決めされたピエゾ結晶とからなる。この結晶を横切って電圧を印加すると、小さいが迅速なチャネルの変形を起こし、この変形は、ノズルを通して小さな小滴を排出する。そのような装置は、いくつかの利点、例えば信頼性、制御の容易性、低電力要求、非常に小さい小滴を高い周波数で放出する能力を有し、しかも推進剤に対するスピードを要しない。それら装置は、大量生産されて、低コストにすることができる。
【００６５】
熱作動型装置は、圧電素子と同様の手法で動作するが、圧電結晶を使用する代わりに、微流体チャネルの小領域が加熱される。この熱は、流体の気化を引き起こし、小滴が放出されるようにする。
【００６６】
好ましい実施形態では、マイクロポンプが蒸発駆動型システムで使用され、またスプレーを発生するために、（単一）ノズルのインクジェットヘッドが使用される。そのような実施形態では、駆動電子回路は、（無害な）高電圧パルスをＰＺＴ結晶に印加して、その結晶を僅かに微流体チャンバ上方に変形し、小滴が放出されるようにする。小滴は、インクジェットヘッドから、装置のエッジ上の小穴を通して放出される。また小滴は、１００ｐＬの典型的体積を有して、大気中への香料の効率的蒸発を可能にする。
【００６７】
香料は、プラスチックチューブ（毛管６６）の短い部分に貯蔵される。このチューブのサイズは、必要とされる総体積に依存して変更され得る。
【００６８】
この発明の上述した多数の実施形態に係る装置は、プリプログラムされたソーンに関係する周波数及びデシベルレベルを、以下で説明される対数関係に従って、測定するための電子音分析段を有する。上述した実施形態のいずれかで受信された信号が処理される手法は、以下の通りである。人間の耳は、非常に大きな範囲の音を聞くことができる。心理学者もまた、我々の聴覚がおおよそ対数的であると、判定している。本発明を具現化した装置におけるそのような範囲を扱うために、対数単位は、以下で説明されるようなスケールに従って適用される。
【００６９】
人間の耳は、全ての周波数に対して等しく応答する訳ではない。人間は、約１ｋＨｚ〜４ｋＨｚの周波数範囲の音については、非常に低いか高い周波数の音に対するよりも感じやすい。この理由から、騒音計は通常、周波数に対する応答が人間の耳と同様であるフィルタを装着される。“Ａ重み付けフィルタ”が使用される場合、音圧レベルは、ｄＢ（Ａ）又はｄＢＡの単位で与えられる。ｄＢＡスケールでの音圧レベルは測定することが容易であり、従って幅広く使用されている。しかしながら、それは音量とは異なる。何故ならば、フィルタは、耳と全く同じ仕方では応答しないからである。
【００７０】
最も広く使用されている音レベルフィルタはＡスケールであり、これはざっと４０ｄＢ（１ｋＨｚでの）等音量曲線の逆数に対応する。このフィルタを使用する音レベル計は、かくして非常に高い周波数及び非常に低い周波数に対してはあまり感度がない。このスケールでなされる測定は、ｄＢＡとして表現される。Ｃスケールは、実際に数オクターブにわたって線形であり、かくして非常に高い音レベルだけに対する主観的測定に好適である。このスケールでなされる測定は、ｄＢＣとして表現される。図１０ａ及び１０ｂは、それぞれＡフィルタ（図１０ａ）及びＣフィルタ（図１０ｂ）の応答を示している。この場合、利得ｄＢは、で１ｋＨｚに関して与えられる。
【００７１】
フォンは、精神生理学的に測定された耳の周波数応答によるデシベル（ｄＢ）に関連した単位である。１ｋＨｚで、フォン及びデシベルの示度は、定義上、同じである。全ての他の周波数について、フォンスケールは、実験の結果によって決定される。この実験では、志願者は、所定周波数の信号の音量を、その音量が１ｋＨｚ信号のそれと等しくなったと判断するまで、調整することを求められる。デシベル（ｄＢ）からフォンへ変換するために、フレッチャー・マンソン曲線、例えば図１１に示されたものが使用される。そのグラフは、音レベルに依存する（それは、高い音レベルで、より平坦になる）。
【００７２】
デシベル（機器によって測定可能である）をフォン（人によって知覚される近似的音量である）に変換することができる。このことは通常、従来の音響ハンドブックに見られる表を使用してなされる。Ａ重み付け曲線は、人間の周波数応答を低〜中位の音レベルで近似すると仮定されているので、ｄＢＡは、非常に粗くフォンと同じである。それから、上述したソーンとフォンとの対数関係を使用することもできる。
【００７３】
本発明に係るシステム及び方法は、例えば次のような広い範囲の応用で使用される装置の製造に特に有用である。
【００７４】
（１）乳児の泣き声の音及び周波数をプログラミングすること――着用可能なコンピュータが乳児の部屋に放置されて、乳児が泣いたときに、この装置が、親の匂いの複製を、乳児の衣服の釦を通して、また乳児のベッドの回りに配置された複数の装置を通して配送する。
【００７５】
（２）愉快なソーンに応答した‘香料’ の間隔時間設定した放出用のプログラミング。この装置は、個人の着用可能な装置内に、着用者の衣服、又は他の織物中に、又は部屋に放置された装飾物に埋込まれる。
【００７６】
（３）例えば特定の音符、オクターブ、シンフォニー、メロディー、ビート、ピッチ、スケール、及びハーモニーによって作動される香料配送は、‘多感覚応用’の娯楽を作って、
・  香水の‘音符’（香水産業で使用されているような）及び音楽の‘音符’の多感覚応用シンフォニーを作る
・  楽器を学習するための新たな方法を可能にする
・  上述したものを作り／可能にし、且つ／又は色パレットの追加を含む、
・  例えばデジタル制御された色及び香料処方（‘レシピー’）を持つ色治療アロマセラピー虹を作る
・  ‘色臭気剤’利益化学薬品を、環境及び個人のニーズに対応する制御された仕方で配送する
・  モノクローム／モノコード音楽トーン、又は香料音符、即ちイブ・クラインの絵画を作る
【００７７】
（４）ストレス低減香料を分配する装置の使用によって緩和されるストレス生起状況の例には、次のものがある。
・  聴覚過敏：これは、大きな音、例えば
・    学校の黒板上のチョーク
・    歯医者の穿孔ドリル
・    駅に到着する際のブレーキの金切り音
・    航空機への接近（飛行機に搭乗することの恐怖）
・    道路掘削機
に対する苦痛な感度である
・音恐怖症――これは、個人に特異な“内蔵された”反感と、何らかの恐怖であって、
・    熱帯地方の国では、風の音、大音響の雷、暴風の波
・    それらが象徴する危険性故に野生動物／昆虫
・    授業ベルの音（登校する不安）
・    生徒によって嫌われる叱る親／先生
・    花火の陳列（人間及び動物）
・      法によって一般に規制又は禁止された音、即ち、ストリート音楽、オールナイトパーティー、商人の怒鳴り及び叫び声、吠える犬、カーペットを叩く、騒々しい商売及び産業、ラジオ、ＰＡ及びラウドスピーカ
・    火災警報、サイレン
・    葬式、ミサ葬、霊安所での泣き叫び
・    屠殺場、動物の屠殺
・    戦争（軍隊用の‘幸福’香料拡散）
・    砲撃、爆弾、砲の音
・    末期の兵士
・    積極的な叫び
・    拷問
【００７８】
（５）防虫剤配送
【００７９】
（６）熊忌避剤（カナダで特別な用途がある）
【００８０】
（７）危険な動物例えば犬に対する忌避剤
【００８１】
（８）個人保護（カスタム化された‘香料バブル’を構築する）
【００８２】
（９）聴力損失：低減された音響的知覚能力であって、これが引き起こされるのは：
・  老人性難聴：最大損失は、高い周波数で起こる（例えば老化に起因して）
・    騒音公害：近代的都市騒音への被曝による（特にニューヨークで優勢である）
・    職業的騒音被曝：産業誘発性聴力損失（工場、装置、空間調査、研究所、建築現場等）
・  社会性難聴――非職業的騒音被曝による聴力損失
・    聴覚機構へのダメージは、雑音が次のことに寄与することを明らかにしている
・  睡眠の損失
・  緊張、頭痛
・  性的不能
・  心臓疾患
・  精神病
・  双極性不調：感覚的過負荷、音幻覚
・  精神分裂症（‘音’を怖がる聴力が恐怖を引き起こす）
・  憂鬱、不安（自分の声、第３者の音）
・  上記の全ては、より複雑な心理学的及び社会的な問題に寄与する
・    感覚悪化／低下視力盲目難聴−本質的な香料
【００８３】
（１０）伝達ツール
・  移動電話の‘リングトーン’は、認識可能な‘香りトーン’を放出して、呼出者を識別する
・  難聴者用香り放出家庭警報システムと高齢者用警告システム
・  時間管理（腕時計／置時計）型のチャイム用コンピュータ式香り出力（宗教的時計に基づく）
・  補聴器内の認識不能な‘音’をピックアップする
・    衣類は認識可能な（学習された）香りを警告信号、警報システムとして放出することがある
【００８４】
（１１）耳鳴り――耳の中で聞こえる強い鳴動音
・  大きな音への長期の被曝によって引き起こされる
・  非常に大きな音への短い被曝
・  一時的又は慢性、あるいは薬、即ちアスピリンを飲んだ結果として
・  補聴器又は同様のセンサは、病気を検出して、香りを放出する
【００８５】
（１２）‘白色雑音’−全ての等強度の可聴周波数からなる音又は信号
・  新メディアアーティスト用の創造的ツール
・  人工的に作られた‘無音’‘無香’（白色雑音及び白色臭）
【００８６】
（１３）‘ピンク雑音’−各オクターブバンドが同じ強度を持つ雑音
・  白色雑音のように明るくは鳴らない
・  スペクトルの強度は、高い周波数では増加しない
・  新メディアアーティスト用の創造的ツール
【００８７】
（１４）幸福及び生活向上用周囲音
・  ナイトクラブ、チルアウト音楽、大気リラックス環境、アートギャラリー
・  インストールアート、ファッション展示
・  音楽カテゴリー：
・    クラシック
・    オペラ
・  ・ポップ
・  ・ダンス／ハウス
・  ・レゲエ
・  ・ドラムとベース
・  ・テクノ
・  ・ヘビーメタル／ロック等
・  レストラン、リビングルーム、作業場、オフィスでの会話
・  森林、ビーチ、川、‘ロッキー山脈’の滝等の静寂
【００８８】
（１５）音効果−事前録音又はシミュレートされた音
・    ラジオ、テレビ、映画又は劇場番組用に作成されたもの
・    実際の音環境を示唆／向上すること
・    映画のマルチセンサ／アル・スメリウエアのＴシャツ／衣類、劇場室内装飾材料（椅子）
・    埋め込まれた香り拡散により特定音効果を強化して喚起／奮起する
・    感動時に、想像力をトリガ／広げる
・    本、教室内の教育的目的、創造性の促進
・    健康スパ、幸福センタ（バスローブ）での音／香り効果
・    プロモーション：休日装身具／ネックレス−タヒチのティアラ・フラワーである‘レイ’によって影響されたもの
・    即ち、タヒチへの到着時にツアープロモータによって与えられる、現地音楽と相互作用する
【００８９】
（１６）音ロマンス：幼年時代に経験された音
・    郷愁に対する多感覚応用強化（香りと音）
・    しばしば大人に対するロマンスになる
・    昔又は過去の音は、記憶にある音ロマンスのカテゴリーに高められる
・    衣服は‘記憶’を保持している、即ち
・    ある音／音楽を聞いたときの死んだ祖父の香り
・    初恋の人
・    幼年時代の休日、明確な経験：
・    ブロウニーの歌とキャンプファイアの香り
・    好みの音楽、ポップソングの最初の記憶
【００９０】
（１７）神聖な騒音：社会的規制から免除された巨大な音：自然現象：
・    火山の噴火、雷及び嵐（神聖な騒音とみなされる）
・    社会的騒音は、歴史の一定の期間に、騒音減少立法者の注意を免れていた、例えば教会のベル、産業騒音、ムーザック、増幅されたポップミュージック、等
【００９１】
（１８）テンポ：かなり不本意な心理学的反応はテンポに関連している：
・    特に脈拍、血圧及び呼吸率
・    人間の体から雑音、リズムを‘聞く’衣服、即ち
・    スポーツ後の増加した鼓動（リフレッシュする、脱臭する）
・    いびきをかく（ベッドで耐えるパートナーための香り）
・    他の人的騒音（非テンポ）
・      胃の鳴動（空腹）−自らの身体に燃料を供給することを‘忘れた’人達に対して摂取障害（食欲不振）について‘思い出させるもの’としての香り出力
・      自制できない騒音、‘過剰な放屁、風’（高齢者／病院のリネン）
・      乳児の泣き声
・        鎮静香料を乳児に対し放出する（即ち、母親の個人的授乳の香り、カモミール等）
・      新生児の香りを放出して不安な親を鎮静化する（この香りは、天然鎮静剤であり、ホルモンを増加するように設計されている）
・      ‘くしゃみ’（薬物、ラベンダー、ユーカリ）あえぎ−ベンタリン（商標）配送
・      咳（喘息／アレルギーに対しては推奨されない）大人の泣き声
・      怒り管理（自分自身又は他の誰か）
・    ‘音声’音認識−以下のような特定トーン：
・      不安、ストレス、動揺
・      内気、臆病、自信不足、自己尊重の欠如、悲しみ
・      ‘苦痛な騒音’、労働−萎縮
・      マニア、ＯＣＤ（脅迫神経障害）反復語
・      多幸症、エクスタシー、興奮、楽しみ、高揚
・      驚き、嫌悪感、同情等。
【００９２】
（１９）ロマンス及び性的音（オーガズム、息切れ、うめき等）セックス用香り増加
・    性欲香料（エッセンスオイル及び／又は香水）
・    性的機能不全及び楽しみ／向上用フェロモン
【００９３】
本発明の別の実施形態は、１以上のセンサを備えることがある。これらセンサは、特別な音の検出時に香りを放出する必要はないが、他の特性、例えば生物測定学的特性に応答して香りを放出するように配置される。
【００９４】
更には、センサと、微流体分配装置と、分配される流体を輸送するためのマイクロチューブは、１以上の層の織物に織られるか、編まれるか、刺繍されるか、そうでなければ織り込まれて、１つのタイプの‘第２の皮膚’又はメンブレンを形成し、そこからの香料又は流体のパルスが制御されて分配される。流体は、使用される流体のタイプ及び性質に依存して、ユーザから遠くへ又は直接ユーザの皮膚にスプレーされるように分配される。
【００９５】
別の好ましい実施形態でも、流体、例えば“幸福”香料は、ユーザの身体の特定点に向けらて狙いをつけた霧状ミストの形態で分配されて、周囲の大気の臭気公害を最小化する。
【００９６】
分配に好適な可能な流体に関して、ある人達には特別な効果を持つものとして多数の流体が知られている。例えば、
ベルガモット−不安を緩和する
カモミール−頭痛を和らげる
ペパーミント−注意を維持することを助ける
チャノキ−免疫システムを刺激する
レモン−集中を改善する
ミント−消化不良の助けになる
メリッサ−人を、例えば人前で話す前に、穏やかにすることを助ける
ローズ−幸せな雰囲気を維持することを助ける
ユーカリ−気管支炎の癒しを助ける
イランイラン−血圧を低くする
マージョラム−恐怖感を低減することを助ける
ナツメグ−性欲促進薬として作用する
ラベンダーは、睡眠を促進する
【００９７】
１以上の実施形態において、このシステムは、生物学的条件（ユーザの雰囲気及び感情、例えば恐れや悲しみを、健康と同様に反映する）に応答するように配置され得る。そして、特別に選択された流体の分配は、ユーザの心理学的及び／又は生理学的状態を向上させる。かくして、そのような装置は、着用者に対して薬効的又は治療的である。好ましい実施形態でも、このシステムは、例えばユーザが筋肉又は骨のトラウマに苦しんでいる場合に、流体を分配するための癒し分配システムを形成する。もう１つの実施形態では、このシステムは、脈動性アロマセラピー式背面マッサージを、例えばユーザの脊柱に隣接して／沿って位置決めされた流体分配出口によって与えるように配置される。
【００９８】
別の好ましい実施形態では、このシステムのセンサ（１又は複数）は、ユーザの特別な条件、例えば排卵の診断又は識別を助け、そしてそのような例では、香りが放出されて、ホルモンをスピードアップ又はスローダウンするか、あるいは病気、例えばＴＢ、糖尿病、肺ガンを適切なセンサ選択によって検出する。好ましい実施形態はまた、薬物からの副作用、例えば頭痛、過剰発汗、刺激感応性、心的動揺、レストレス又は不安睡眠パターンの低減を、これらの条件の検出及び好適な香りの分配によって助ける。
【００９９】
別の好ましい実施形態では、配置されるシステムは、可搬型芳香ポッド、芳香性宝石内に収容されるか、織物に収容されて、例えば、分配される流体のタイプに依存して、ビタミン強化織物、抗ストレス／タバコ繊維、又は抗セルライト繊維を形成することが可能である。分配される流体は、従って、憂鬱、立腹、ストレス、無関心、又は幸福感、官能性、弛緩又は刺激問題に苦しんでいるユーザの社会的、エロチック、鎮痛性又は感情的なニーズに取り組む有益な効果を有する。分配される香りには、ある人にとって、能力によるストレス、跳ね上がり反射、心拍数、及び血圧を低減するものとして知られた香りや、アドレナリンを低く調節し、副腎皮質を刺激し、筋肉硬直を和らげ、そしてトラウマ後の皮膚の回復を改善するものとして知られた香りがある。
【０１００】
また、このシステムは、他の装置、例えばＣＤプレーヤ、種々雑多な器具、コンピュータゲーム、シャワーヘッド、時計（‘目覚まし’装置として作用する）及び家庭又は更に一般的には環境を香りつけすることに使用され得る他の装置に組み込まれ得る。このシステムは、特別なウエブサイトによって作動され得る。
【０１０１】
かくして、要約すれば、この発明の１以上の実施形態は、ユーザのニーズを評価し、それらニーズに適切である香りの分配に適切に応答するように準備される。
【０１０２】
この発明の上述した実施形態は、種々に変形されうる。例えば、他の材料及び方法工程は、上記のものに追加されたり、置換され得る。特に、本発明を具現化した装置は、異なる形態にされうる。例えば、装置は、１以上の異なる香料を包含した多数のカートリッジを持つ、廃棄可能で、再充填可能なカートリッジベースとされる。かくして、この発明は、特別な実施形態を使用して上述されたが、当業者には明らかなように、多数の変形は、請求の範囲内で、この発明から逸脱することなく可能である。
【図面の簡単な説明】
【０１０３】
【図１】この発明の好ましい実施形態に係るシステムの模式的ブロック図である。
【図２】この発明の好ましい実施形態に係るシステムの模式的表現である。
【図３】この発明の防虫剤に適用された好ましい実施形態に係るシステム用アナログ回路構成の模式的ブロック図である。
【図４】この発明の防虫剤に適用された好ましい実施形態に係るデジタルシステムの模式的ブロック図である。
【図５ａ】メスのアナフェレス・ステベンシ蚊の分析における振幅対周波数を示すグラフである。
【図５ｂ】典型的な塩湿地背景雑音に対する個別のオス及びメスの塩湿地蚊分析における振幅対周波数を示すグラフである。
【図６】この発明の織物に織り込まれた好ましい実施形態に係る熱作動型ディスペンサーの模式的表現である。
【図７】この発明の好ましい実施形態に係る１つの装置の模式的表現である。
【図８】この発明の好ましい実施形態に係る一対の装置の模式的表現である。
【図９】この発明の上着の袖に織り込まれた好ましい実施形態に係る１つの装置の模式的表現である。
【図１０ａ】この発明の好ましい実施形態に係るシステムで音に対する人間の耳の応答をシミュレートすることに使用されたＡフィルタの強度応答を示すグラフである。
【図１０ｂ】この発明の好ましい実施形態に係るシステムで音に対する人間の耳の応答をシミュレートすることに使用されたＣフィルタの音量応答を示すグラフである。
【図１１】この発明の好ましい実施形態で使用されたデシベル／フォン変換に使用されるフレッチャー・マンソン曲線を示すグラフである。
【図１】
2008521422.tif 000003
【図２】
2008521422.tif 000004
【図３】
2008521422.tif 000005
【図４】
2008521422.tif 000006
【図５ａ】
2008521422.tif 000007
【図５ｂ】
2008521422.tif 000008
【図６】
2008521422.tif 000009
【図７】
2008521422.tif 000010
【図８】
2008521422.tif 000011
【図９】
2008521422.tif 000012
【図１０ａ】
2008521422.tif 000013
【図１０ｂ】
2008521422.tif 000014
【図１１】
2008521422.tif 000015
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
検知された特性に応答して流体を分配するための着用可能な装置であって、
１以上の特性を検出するためのセンサと、
１以上の検知された特性が所定の範囲内にあるか、及び／又は所定のレベル以上及び／又は以下であるかを決定するための処理段と、
この処理段によって、１以上の検知された特性が所定の範囲内にあるか、及び／又は所定のレベル及び／又は値以上及び／又は以下であると決定された場合に、この装置を囲む領域へ流体を分配するためのディスペンサーと
を備えることを特徴とする装置。
【請求項２】
センサは、マイクロホンを備える、先行する請求項のいずれかに記載の装置。
【請求項３】
１以上の検知された特性は、１以上の周囲音である請求項１又は２に記載の装置。
【請求項４】
処理段は、１以上の決定された音の１又は複数の周波数、及び／又は１以上の音の振幅を決定するように配置されている請求項３に記載の装置。
【請求項５】
処理段は、１以上の音の源を決定するように配置されている請求項３又は４に記載の装置。
【請求項６】
１以上の音の源は、蚊のような昆虫である請求項５に記載の装置。
【請求項７】
１以上の検知された特性は、ユーザの１以上の生物測定学的特性である請求項１又は２に記載の装置。
【請求項８】
１以上の生物測定学的特性は、心拍数、血圧、呼吸リズム、血糖レベル、体臭及び循環の１以上を備える請求項８に記載の装置。
【請求項９】
処理段は、１以上のフィルタを備える請求項１〜８のいずれかに記載の装置。
【請求項１０】
１以上のフィルタは、１以上の帯域通過フィルタを備える請求項９に記載の装置。
【請求項１１】
処理段は、センサと１以上のフィルタとの間に接続可能な増幅器を更に備える請求項１０又は１１に記載の装置。
【請求項１２】
処理段は、マイクロプロセッサを更に備える請求項９〜１１のいずれかに記載の装置。
【請求項１３】
処理段は、１以上のデジタル信号処理部品を備える請求項１〜８のいずれかに記載の装置。
【請求項１４】
処理段は、マイクロプロセッサを更に備える請求項１３に記載の装置。
【請求項１５】
ディスペンサーに分配される流体を供給するための、ディスペンサーに接続可能な流体貯蔵器を更に備える請求項１４に記載の装置。
【請求項１６】
センサは、出力を有し、そして処理段は、センサの出力に接続されると共に出力を有する増幅器と、この増幅器の出力に接続されたアナログ／デジタル変換器とを更に備える請求項１５に記載の装置。
【請求項１７】
ディスペンサーの動作を制御するためのディスペンサー制御段を更に備える請求項１６に記載の装置。
【請求項１８】
アナログ／デジタル変換器は、ワイヤレスリンクを使用してプロセッサに印加可能な出力信号を有し、そしてプロセッサは、ワイヤレスリンクを使用してディスペンサー制御段に印加可能であると共にディスペンサー制御段を駆動するように動作する出力信号を有する請求項１８に記載の装置。
【請求項１９】
プロセッサは、１以上の検知された特性が所定の範囲内にあるか、及び／又は所定のレベル及び／又は値以上及び／又は以下であるかを決定するためのオーディオ分析ソフトウエアを有する請求項１８に記載の装置。
【請求項２０】
処理段は、出力を有する差動増幅器と、入力及び出力を有するシュミットトリガーと、入力を有するＡＮＤゲートとを更に備え、差動増幅器の出力は、シュミットトリガーの入力に印加され、そしてシュミットトリガーの出力は、ＡＮＤゲートの入力に印加されて、１以上の検知された特性が所定の範囲内にあるか、及び／又は所定のレベル以上及び／又は以下であるかを決定する請求項９〜１２のいずれかに記載の装置。
【請求項２１】
ディスペンサーに分配される流体を供給するための、ディスペンサーに接続可能な流体貯蔵器を更に備える請求項１〜１２のいずれかに記載の装置。
【請求項２２】
処理段は、ディスペンサーとは別のユニット内に搭載される請求項１〜２１のいずれかに記載の装置。
【請求項２３】
１以上のセンサと、処理段と、ディスペンサーは、ユーザによって着用される宝石内／上に搭載される請求項１〜２２のいずれかに記載の装置。
【請求項２４】
１以上のセンサと、処理段と、ディスペンサーは、ユーザによって着用されるアクセサリに取付られる請求項１〜２２のいずれかに記載の装置。
【請求項２５】
１以上のセンサと、処理段と、ディスペンサーは、織物に織り込まれる請求項１〜２２のいずれかに記載の装置。
【請求項２６】
流体は、防虫剤を含む請求項１〜２５のいずれかに記載の装置。
【請求項２７】
流体は、香料を含む請求項１〜２５のいずれかに記載の装置。
【請求項２８】
流体は、ストレス低減特性を持つ香料を含む請求項２７に記載の装置。
【請求項２９】
ディスペンサーは、圧電素子を備える請求項１〜２８のいずれかに記載の装置。
【請求項３０】
ディスペンサーは、熱作動型装置を備える請求項１〜２８のいずれかに記載の装置。
【請求項３１】
熱作動型装置は、流体貯蔵器と分配ノズルとの間に接続された毛管内に配置可能なワイヤを備え、このワイヤは、電流の１以上のパルスを受信するように配置されて、ワイヤを囲んだ毛管内の流体を気化させ、流体の１以上の小滴が形成されて、前記分配ノズルから排出されるようにする請求項３０に記載の装置。
【請求項３２】
検知された特性に応答して流体を分配するための方法であって、
請求項１〜３１のいずれかの着用可能な装置を与える工程と、
１以上の特性を、センサを使用して検出する工程と、
１以上の検出された特性が所定の範囲内にあるか、及び／又は所定のレベル以上及び／又は以下であるかを、処理段で決定する工程と、
前記処理段によって、１以上の検出された特性が所定の範囲内にあるか、及び／又は所定のレベル及び／又は値以上及び／又は以下であると決定された場合に、ディスペンサーを使用して、この装置を囲む領域へ流体を分配する工程と
を備えることを特徴とする方法。
【国際調査報告】
2008521422.tif 000016
2008521422.tif 000017
2008521422.tif 000018